(57)【要約】【課題】従来よりもコンパクトなプロジェクタを提供する。【解決手段】照明光学系１００と、色分離導光光学系２００と、反射型液晶パネル４００Ｒ，４００Ｇ，４００Ｂと、クロスダイクロイックプリズム５００と、投写光学系６００と、各光学系を収納する光学部品用筐体１０とを備えるプロジェクタ１０００。色分離導光光学系２００は、２つの色分離面２１２，２１４によって照明光学系１００からの光を色分離するクロスダイクロイックミラー２１０を有する。照明光学系１００は、照明光学系１００から射出される光の中心軸Ａ１００が、クロスダイクロイックプリズム５００に入射する各色光の中心軸Ａ５００Ｒ，Ａ５００Ｇ，Ａ５００Ｂを含む第１の仮想平面に対して直交するように構成されている。クロスダイクロイックミラー２１０は、２つの色分離面２１２，２１４の両面と直交関係にある第２の仮想平面が、第１の仮想平面と直交するように配置されている。【選択図】図２
2009204905.tif 000002
【特許請求の範囲】
【請求項１】
照明光束を射出する照明光学系と、
前記照明光学系からの照明光束を複数の色光に分離して被照明領域に導光する色分離導光光学系と、
前記色分離導光光学系で分離された各色光の光路のそれぞれに配置され、前記色分離導光光学系で分離された各色光を画像情報に応じて変調する複数の反射型液晶パネルと、
前記複数の反射型液晶パネルによって変調された色光を合成する色合成光学系と、
前記色合成光学系によって合成された光を投写する投写光学系と、
各光学系を収納する光学部品用筐体とを備え、
前記色分離導光光学系は、２つの色分離面が互いに直交するように配置され、前記２つの色分離面によって前記照明光学系からの光を第１の色光成分を含む光とその他の色光成分を含む光とに分離する色分離素子を少なくとも有し、
前記照明光学系は、前記照明光学系から射出される光の中心軸が、前記色合成光学系に入射する各色光の中心軸を含む第１の仮想平面に対して直交するように構成されており、
前記色分離素子は、前記２つの色分離面の両面と直交関係にある第２の仮想平面が、前記第１の仮想平面と直交するように配置されていることを特徴とするプロジェクタ。
【請求項２】
請求項１に記載のプロジェクタにおいて、
前記色分離導光光学系は、前記第１の仮想平面が水平面に沿うように配置されており、
前記照明光学系は、発光管及びリフレクタを有する光源装置と、前記光源装置からの光を前記色分離素子に向けて反射する反射手段とを少なくとも有し、
前記光源装置は、前記光源装置から射出される光の中心軸が前記水平面に沿うように配置されていることを特徴とするプロジェクタ。
【請求項３】
請求項２に記載のプロジェクタにおいて、
前記光源装置は、前記光源装置から射出される光の中心軸が前記色分離素子によって色分離された光の中心軸と平行関係となるように配置されていることを特徴とするプロジェクタ。
【請求項４】
請求項１に記載のプロジェクタにおいて、
前記色分離導光光学系は、前記第１の仮想平面が鉛直面に沿うように配置されており、
前記照明光学系は、発光管及びリフレクタを有する光源装置を少なくとも有し、
前記光源装置は、前記光源装置から射出される光の中心軸が水平面に沿うように配置されていることを特徴とするプロジェクタ。
【発明の詳細な説明】
【技術分野】
【０００１】
本発明は、プロジェクタに関する。
【背景技術】
【０００２】
従来、照明光学系と、照明光学系からの光を複数の色光に分離して被照明領域に導光する色分離導光光学系と、色分離導光光学系で分離された各色光の光路のそれぞれに配置される３つの反射型液晶パネルと、３つの反射型液晶パネルによって変調された色光を合成する色合成光学系（クロスダイクロイックプリズム）とを備えるプロジェクタが知られている（例えば、特許文献１参照。）。これら各光学系は、光学部品用筐体に収納されている。
【０００３】
また、色分離導光光学系は、照明光学系からの光を青色光成分を含む光とその他の色光成分（赤色光成分及び緑色光成分）を含む光とに分離する色分離素子（クロスダイクロイックミラー）を少なくとも有する。色分離素子の２つの色分離面は、互いに直交するように配置されている。
ここで、色合成光学系に入射する各色光の中心軸を含む平面を「第１の仮想平面」と定義し、２つの色分離面の両面と直交関係にある平面を「第２の仮想平面」と定義したとき、色分離素子は、第２の仮想平面が第１の仮想平面と平行関係となるように配置されている。
【０００４】
【特許文献１】特開平１０−２６８２３５号公報
【発明の開示】
【発明が解決しようとする課題】
【０００５】
ところで、近年、プロジェクタをコンパクトなものにしたいという要望がある。
【０００６】
そこで、本発明は、このような事情に鑑みてなされたもので、従来よりもコンパクトなプロジェクタを提供することを目的とする。
【課題を解決するための手段】
【０００７】
本発明の発明者らは、上記の目的を達成するため、従来のプロジェクタにおけるコンパクト化を妨げる要因を徹底的に調査した。その結果、光学部品用筐体が全体的に横長形状であることが、プロジェクタのコンパクト化を妨げる一因であるという知見を得た。すなわち、上記の第１の仮想平面に沿う２方向のうち、色分離素子から色合成光学系に向かう方向を「一方方向」と定義し、一方方向に直交する方向を「他方方向」と定義したとき、従来のプロジェクタにおいては、光学部品用筐体における一方方向に沿った長さが他方方向に沿った長さに比べて極端に長いため、光学部品用筐体が全体的に横長形状となってしまい、結果としてプロジェクタのコンパクト化を図ることができないのである。
【０００８】
本発明の発明者らは、上記の知見に基づいて、光学部品用筐体における一方方向に沿った長さを短くするための手段を探るべくさらなる研究を重ねた結果、照明光学系から射出される光の中心軸が第１の仮想平面に対して直交するように照明光学系を構成すれば、光学部品用筐体における一方方向に沿った長さを短くすることができ、結果として、従来よりもコンパクトなプロジェクタを実現することが可能となることを見出し、本発明を完成させるに至った。
【０００９】
すなわち、本発明のプロジェクタは、照明光束を射出する照明光学系と、前記照明光学系からの照明光束を複数の色光に分離して被照明領域に導光する色分離導光光学系と、前記色分離導光光学系で分離された各色光の光路のそれぞれに配置され、前記色分離導光光学系で分離された各色光を画像情報に応じて変調する複数の反射型液晶パネルと、前記複数の反射型液晶パネルによって変調された色光を合成する色合成光学系と、前記色合成光学系によって合成された光を投写する投写光学系と、各光学系を収納する光学部品用筐体とを備え、前記色分離導光光学系は、２つの色分離面が互いに直交するように配置され、前記２つの色分離面によって前記照明光学系からの光を第１の色光成分を含む光とその他の色光成分を含む光とに分離する色分離素子を少なくとも有し、前記照明光学系は、前記照明光学系から射出される光の中心軸が、前記色合成光学系に入射する各色光の中心軸を含む第１の仮想平面に対して直交するように構成されており、前記色分離素子は、前記２つの色分離面の両面と直交関係にある第２の仮想平面が、前記第１の仮想平面と直交するように配置されていることを特徴とする。
【００１０】
このため、本発明のプロジェクタによれば、照明光学系から射出される光の中心軸が第１の仮想平面に対して直交するように、照明光学系が構成されているため、照明光学系における一方方向に沿った長さの分、光学部品用筐体における一方方向に沿った長さを従来よりも短くすることが可能となる。その結果、光学部品用筐体を従来よりもコンパクトにすることができ、従来よりもコンパクトなプロジェクタを実現することが可能となる。
【００１１】
ところで、照明光学系から射出される光の中心軸が第１の仮想平面に対して直交するように照明光学系を構成したときには、照明光学系の光が第１の仮想平面に対して直交する方向から入射することとなるが、仮に、従来のプロジェクタのように、第２の仮想平面が第１の仮想平面と平行関係となるように色分離素子が配置されていると、色分離素子の２つの色分離面は第１の仮想平面に直交するように配置されることとなるため、照明光学系からの光を色分離素子で正しく色分離することができない。
これに対し、本発明のプロジェクタによれば、第２の仮想平面が第１の仮想平面と直交するように色分離素子が配置されているため、照明光学系からの光を色分離素子で正しく色分離することができ、結果として、照明光学系からの光を後段の反射型液晶パネルまで正しく導くことが可能となる。
【００１２】
本発明のプロジェクタにおいては、前記色分離導光光学系は、前記第１の仮想平面が水平面に沿うように配置されており、前記照明光学系は、発光管及びリフレクタを有する光源装置と、前記光源装置からの光を前記色分離素子に向けて反射する反射手段とを少なくとも有し、前記光源装置は、前記光源装置から射出される光の中心軸が前記水平面に沿うように配置されていることが好ましい。
【００１３】
第１の仮想平面が水平面に沿うように色分離導光光学系が配置されたプロジェクタにおいては、照明光学系からの光は鉛直方向から入射することとなるが、この場合、上記のような反射手段を用いずに照明光学系を組むと、発光管が鉛直方向に立った状態で（光源装置の光軸が鉛直方向に沿うように）配置されることとなる。発光管が鉛直方向に立った状態で配置されると、熱の影響によって発光管の寿命が短くなってしまうという不具合がある。
これに対し、本発明のプロジェクタによれば、光源装置は、光源装置から射出される光の中心軸が水平面に沿うように配置されているため、上述した熱の影響による発光管の寿命の短命化を抑制することが可能となる。
【００１４】
本発明のプロジェクタにおいては、前記光源装置は、前記光源装置から射出される光の中心軸が前記色分離素子によって色分離された光の中心軸と平行関係となるように配置されていることが好ましい。
【００１５】
反射型液晶パネルなどの電気光学変調装置のそばに熱源を配置するようなレイアウトは、熱的影響を考えるとあまり好ましくはないが、上記のように構成することにより、プロジェクタのコンパクト化を図りつつ、熱源である光源装置の配置位置を反射型液晶パネルからなるべく遠ざけることが可能となる。
【００１６】
本発明のプロジェクタにおいては、前記色分離導光光学系は、前記第１の仮想平面が鉛直面に沿うように配置されており、前記照明光学系は、発光管及びリフレクタを有する光源装置を少なくとも有し、前記光源装置は、前記光源装置から射出される光の中心軸が水平面に沿うように配置されていることが好ましい。
【００１７】
ところで、プロジェクタ内に配置される各種部品（例えば電源装置や冷却装置など）のレイアウトの都合などの理由によって、第１の仮想平面が水平面に沿うように色分離導光光学系を配置する場合のみならず、第１の仮想平面が鉛直面に沿うように色分離導光光学系を配置する場合もある。このような場合であっても、上記のように構成することにより、プロジェクタのコンパクト化を図ることができるとともに、光源装置から射出される光の中心軸が水平面に沿うように光源装置が配置されているため、熱の影響による発光管の寿命の短命化を抑制することが可能となる。
【発明を実施するための最良の形態】
【００１８】
以下、本発明のプロジェクタについて、図に示す実施の形態に基づいて説明する。
【００１９】
［実施形態１］
実施形態１は、第１の仮想平面が水平面に沿うように色分離導光光学系が配置されている場合を説明するための実施形態である。
【００２０】
まず、実施形態１に係るプロジェクタの構成について、図１〜図４を用いて説明する。
図１は、実施形態１に係るプロジェクタ１０００の全体斜視図である。図２は、実施形態１に係るプロジェクタ１０００の光学系の斜視図である。なお、図２においては、照明光学系１００や色分離導光光学系２００などの光学系を見やすくするために、光学部品用筐体１０の図示を省略している。
【００２１】
図３は、下層に配置されるプロジェクタ１０００の光学系の上面図である。図４は、光学部品用筐体１０内に配置される光学系の側面図（ｙ（−）方向から見た図）である。
【００２２】
以下の説明においては、互いに直交する３つの方向をそれぞれｙ方向（クロスダイクロイックプリズム５００から射出される光の中心軸に沿った方向）、ｘ方向（ｙ方向と直交関係にある水平方向）及びｚ方向（ｙ方向と直交関係にある鉛直方向）とする。
【００２３】
実施形態１に係るプロジェクタ１０００は、図２に示すように、照明光束を射出する照明光学系１００と、照明光学系１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する電気光学変調装置としての３つの反射型液晶パネル４００Ｒ，４００Ｇ，４００Ｂと、３つの反射型液晶パネル４００Ｒ，４００Ｇ，４００Ｂによって変調された色光を合成する色合成光学系としてのクロスダイクロイックプリズム５００と、クロスダイクロイックプリズム５００によって合成された光をスクリーンＳＣＲ等の投写面に投写する投写光学系６００とを備えるプロジェクタである。照明光学系１００からクロスダイクロイックプリズム５００までの各光学系及び各光学要素は、光学部品用筐体１０の内部に収納されている（図１参照。）。
【００２４】
なお、図２〜図４に示すように、照明光学系１００と、色分離導光光学系２００から投写光学系６００までの光学系及び光学要素とは、同一平面上に配置されておらず、照明光学系１００が上層に配置され、色分離導光光学系２００から投写光学系６００までの光学系及び光学要素が下層に配置された、２層構造で構成されている。
【００２５】
照明光学系１００は、被照明領域側に照明光束を射出する光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、第２レンズアレイ１３０からの各部分光束を偏光方向の揃った略１種類の直線偏光に変換して射出する偏光変換素子１４０と、偏光変換素子１４０から射出される各部分光束を被照明領域で重畳させるための重畳レンズ１５０と、重畳レンズ１５０からの光を後述する色分離導光光学系２００のクロスダイクロイックミラー２１０に向けて反射する反射手段としての反射ミラー１６０とを有する。
【００２６】
光源装置１１０は、楕円面リフレクタ１１４と、楕円面リフレクタ１０の第１焦点近傍に発光中心を有する発光管１１２と、発光管１１２から被照明領域側に向けて射出される光を発光管１１２に向けて反射する副鏡１１６と、楕円面リフレクタ１１４からの集束光を略平行光として射出する凹レンズ１１８とを有する。
【００２７】
また、光源装置１１０は、図４に示すように、光源装置１１０から射出される光の中心軸Ａ１１０が、水平面（ｘ−ｙ平面）に沿うように、かつ、クロスダイクロイックミラー２１０によって色分離された光の中心軸Ａ２１２，Ａ２１４と平行関係となるように配置されている。
【００２８】
発光管１１２は、管球部と、管球部の両側に延びる一対の封止部とを有する。管球部は、球状に形成されており、石英ガラス製であって、この管球部内に配置された一対の電極と、管球部内に封入された水銀、希ガス及び少量のハロゲンとを有する。発光管１１２としては、種々の発光管を採用でき、例えば、メタルハライドランプ、高圧水銀ランプ、超高圧水銀ランプ等を採用できる。
【００２９】
楕円面リフレクタ１１４は、発光管１１２の一方の封止部に挿通・固着される筒状の首状固定部と、発光管１１２から放射された光を第２焦点位置に向けて反射する反射凹面とを有する。
【００３０】
副鏡１１６は、発光管１１２の管球部の略半分を覆い、楕円面リフレクタ１１４の反射凹面と対向して配置される反射手段である。副鏡１１６は、発光管１１２の他方の封止部に挿通・固着されている。副鏡１１６は、発光管１１２から放射された光のうち楕円面リフレクタ１１４に向かわない光を発光管１１２に戻し楕円面リフレクタ１１４に入射させる。
【００３１】
凹レンズ１１８は、楕円面リフレクタ１１４の被照明領域側に配置され、楕円面リフレクタ１１４からの光を第１レンズアレイ１２０に向けて射出するように構成されている。
【００３２】
第１レンズアレイ１２０は、凹レンズ１１８からの光を複数の部分光束に分割する光束分割光学素子としての機能を有し、図２に示すように、複数の第１小レンズ１２２がｙ−ｚ面内に複数行・複数列のマトリクス状に配列された構成を有する。図示による説明は省略するが、第１小レンズ１２２の外形形状は、反射型液晶パネル４００Ｒ，４００Ｇ，４００Ｂの画像形成領域の外形形状に関して相似形である。
【００３３】
第２レンズアレイ１３０は、重畳レンズ１５０とともに、第１レンズアレイ１２０の各第１小レンズ１２２の像を反射型液晶パネル４００Ｒ，４００Ｇ，４００Ｂの画像形成領域近傍に結像させる機能を有する。第２レンズアレイ１３０は、第１レンズアレイ１２０と略同様な構成を有し、複数の第２小レンズ１３２がｙ−ｚ面内に複数行・複数列のマトリクス状に配列された構成を有する。
【００３４】
偏光変換素子１４０は、第１レンズアレイ１２０により分割された各部分光束の偏光方向を、偏光方向の揃った略１種類の直線偏光として射出する偏光変換素子である。
偏光変換素子１４０は、光源装置１１０からの照明光束のうち一方の偏光成分（例えばＰ偏光成分）を含む光を透過し他方の偏光成分（例えばＳ偏光成分）を含む光をｙ（＋）方向及びｙ（−）方向に向けて反射する偏光分離層と、偏光分離層で反射された他方の偏光成分を含む光をｘ（＋）方向に向けて反射する反射層と、偏光分離層を透過した一方の偏光成分を含む光を他方の偏光成分を含む光に変換する位相差板とを有する。
【００３５】
重畳レンズ１５０は、第１レンズアレイ１２０、第２レンズアレイ１３０及び偏光変換素子１４０を経た複数の部分光束を集光して反射型液晶パネル４００Ｒ，４００Ｇ，４００Ｂの画像形成領域近傍に重畳させるための光学素子である。重畳レンズ１５０は、図４に示すように、重畳レンズ１５０の光軸Ａ１５０と照明光学系１００のシステム光軸（光源装置１１０から射出される光の中心軸Ａ１１０）とが略一致するように配置されている。なお、重畳レンズ１５０は、複数のレンズを組み合わせた複合レンズで構成されていてもよい。
【００３６】
反射ミラー１６０は、重畳レンズ１５０の光軸Ａ１５０に対して反射面の法線が４５度傾くように配置されている。これにより、重畳レンズ１５０から射出された光（ｘ（＋）方向へと向かう光）は、反射ミラー１６０によって下方向（ｚ（−）方向）に向けて反射される。
【００３７】
色分離導光光学系２００は、色分離素子としてのクロスダイクロイックミラー２１０と、反射ミラー２２０，２６０と、ダイクロイックミラー２３０と、偏光ビームスプリッタ２４０，２５０，２７０とを有する。色分離導光光学系２００は、反射ミラー１６０で反射された光（照明光学系１００から射出される照明光束）を、赤色光、緑色光及び青色光の３つの色光に分離して、それぞれの色光を照明対象となる３つの反射型液晶パネル４００Ｒ，４００Ｇ，４００Ｂに導く機能を有する。
【００３８】
クロスダイクロイックミラー２１０は、青色光成分を含む光を反射し他の色光成分（赤色光成分及び緑色光成分）を含む光を透過する色分離面２１２と、青色光成分以外の色光成分（赤色光成分及び緑色光成分）を含む光を反射し青色光成分を含む光を透過する色分離面２１４とを有する。これら２つの色分離面２１２，２１４は、互いに直交するように配置されている。
反射ミラー１６０で反射された光は、クロスダイクロイックミラー２１０の色分離面２１２，２１４によって青色光成分を含む光とその他の色光成分（赤色光成分及び緑色光成分）を含む光とに分離される。
【００３９】
クロスダイクロイックミラー２１０で分離された青色光成分を含む光は、図３に示すように、反射ミラー２６０で反射され、集光レンズ３００Ｂを介して偏光ビームスプリッタ２７０に入射する。このとき、照明光学系１００からの照明光束は偏光変換素子１４０によって偏光方向の揃った略１種類の直線偏光に揃えられていることから、集光レンズ３００Ｂを通過した光は、偏光ビームスプリッタ２７０を通過して青色光用の反射型液晶パネル４００Ｂに入射する。集光レンズ３００Ｂは、照明光学系１００からの各部分光束を各主光線に対して略平行な光束に変換するために設けられている。なお、他の集光レンズ３００Ｒ，３００Ｇも、集光レンズ３００Ｂと同様に構成されている。
【００４０】
偏光ビームスプリッタ２７０は、プレートタイプの偏光ビームスプリッタであって、透光性の基板に偏光分離膜を設けた構成からなる。偏光ビームスプリッタ２７０は、一方の偏光成分を含む光を反射し他方の偏光成分を含む光を透過する機能を有する。なお、他の偏光ビームスプリッタ２４０，２５０も、偏光ビームスプリッタ２７０と同様に構成されている。
【００４１】
青色光用の反射型液晶パネル４００Ｂで反射された光は、偏光ビームスプリッタ２７０に到達する。このとき、反射型液晶パネル４００Ｂで変調されることで偏光方向が回転した光は、偏光ビームスプリッタ２７０で反射され、クロスダイクロイックプリズム５００に到達する。一方、反射型液晶パネル４００Ｂで変調されずに偏光方向が回転しなかった光は、偏光ビームスプリッタ２７０をそのまま通過する。つまり、当該光は、クロスダイクロイックプリズム５００には到達しない。
【００４２】
クロスダイクロイックミラー２１０で分離された青色光成分以外の色光成分を含む光は、反射ミラー２２０で反射され、ダイクロイックミラー２３０に入射する。
【００４３】
ダイクロイックミラー２３０は、所定の波長領域の光束を反射し他の波長領域の光束を透過する波長選択膜が基板上に形成された光学素子である。ダイクロイックミラー２３０は、緑色光成分を含む光を反射し赤色光成分を含む光を透過するミラーである。
【００４４】
反射ミラー２２０で反射された他の色光成分（赤色光成分及び緑色光成分）を含む光は、ダイクロイックミラー２３０によって、緑色光成分を含む光と赤色光成分を含む光とに分離された後、偏光ビームスプリッタ２５０，２４０に向けてそれぞれ射出される。
【００４５】
ダイクロイックミラー２３０で反射された緑色光成分を含む光は、集光レンズ３００Ｇ及び偏光ビームスプリッタ２５０を通過して、緑色光用の反射型液晶パネル４００Ｇに入射する。一方、ダイクロイックミラー２３０を透過した赤色光成分を含む光は、集光レンズ３００Ｒ及び偏光ビームスプリッタ２４０を通過して、赤色光用の反射型液晶パネル４００Ｒに入射する。
【００４６】
反射型液晶パネル４００Ｒ，４００Ｇ，４００Ｂは、画像情報に応じて照明光束を変調するものであり、照明光学系１００の照明対象となる。反射型液晶パネル４００Ｒ，４００Ｇ，４００Ｂは、画像形成領域のアスペクト比が１６：９のワイドビジョン用の反射型液晶パネルであって、ここでは図示による説明を省略するが、透明電極を有する透明基板と、画素電極を有する駆動回路基板と、透明基板と駆動回路基板との間に密閉封入された液晶層と、透明電極と液晶層との間及び液晶層と画素電極との間にそれぞれ配置される配向膜とを有する。
【００４７】
反射型液晶パネル４００Ｒ，４００Ｇ，４００Ｂには、放熱フィン４１０Ｒ，４１０Ｇ，４１０Ｂが配設されている。
【００４８】
クロスダイクロイックプリズム５００の前段には、偏光板４２０Ｒ，４２０Ｇ，４２０Ｂが配置されている。
【００４９】
クロスダイクロイックプリズム５００は、偏光板４２０Ｒ，４２０Ｇ，４２０Ｂから射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、青色光を反射するものであり、他方の界面に形成された誘電体多層膜は、赤色光を反射するものである。これらの誘電体多層膜によって青色光及び赤色光は曲折され、緑色光の進行方向と揃えられることにより、３つの色光が合成され、当該合成光が投写光学系６００に向けて射出される。
【００５０】
クロスダイクロイックプリズム５００から射出されたカラー画像は、投写光学系６００によって拡大投写され、スクリーンＳＣＲ上で大画面画像を形成する。
【００５１】
ここで、図５を用いて、実施形態１に係るプロジェクタ１０００の構成をさらに詳細に説明する。
図５は、実施形態１に係るプロジェクタ１０００を説明するために示す図である。図５（ａ）は第１の仮想平面ＶＰ１及び第２の仮想平面ＶＰ２を説明するために示す図であり、図５（ｂ）はプロジェクタ１０００を横から（ｘ（−）方向から）見たときの、第１の仮想平面ＶＰ１と第２の仮想平面ＶＰ２との関係を示す図である。
【００５２】
「第１の仮想平面ＶＰ１」とは、図５（ａ）に示すように、クロスダイクロイックプリズム５００に入射する各色光の中心軸Ａ５００Ｒ，Ａ５００Ｇ，Ａ５００Ｂを含む平面のことである。第１の仮想平面ＶＰ１は水平面（ｘ−ｙ平面）に沿った面となる。言い換えれば、色分離導光光学系２００は、第１の仮想平面ＶＰ１が水平面（ｘ−ｙ平面）に沿うように配置されている。
【００５３】
また、照明光学系１００は、図２〜図４及び図５（ａ）から分かるように、照明光学系１００から射出される光の中心軸Ａ１００が、第１の仮想平面ＶＰ１に対して直交するように構成されている。言い換えれば、実施形態１に係るプロジェクタ１０００においては、第１の仮想平面ＶＰ１が水平面（ｘ−ｙ平面）に沿うように配置された色分離導光光学系２００に対して、照明光学系１００から射出される光の中心軸Ａ１００が鉛直方向（ｚ方向）に沿うように構成されている。
【００５４】
一方、「第２の仮想平面ＶＰ２」とは、図５（ａ）に示すように、クロスダイクロイックミラー２１０における２つの色分離面２１２，２１４と直交関係にある平面のことであり、照明光学系１００から射出される光の中心軸Ａ１００と色分離面２１２，２１４によって色分離された光の中心軸Ａ２１２，Ａ２１４とを含む平面のことである。第２の仮想平面ＶＰ２は鉛直面（ｘ−ｚ平面）に沿った面となる。言い換えれば、クロスダイクロイックミラー２１０は、第２の仮想平面ＶＰ２が鉛直面（ｘ−ｚ平面）に沿うように配置されている。
【００５５】
実施形態１に係るプロジェクタ１０００においては、図５（ａ）及び図５（ｂ）に示すように、第１の仮想平面ＶＰ１と第２の仮想平面ＶＰ２とが直交関係となるように構成されている。
【００５６】
次に、実施形態１に係るプロジェクタ１０００をさらに詳細に説明するために、実施形態１の比較例１及び２に係るプロジェクタ１０００ａ，１０００ｂを説明する。
【００５７】
図６は、比較例１に係るプロジェクタ１０００ａの全体斜視図である。図７は、比較例１に係るプロジェクタ１０００ａの光学系の斜視図である。図８は、比較例１に係るプロジェクタ１０００ａの光学系の上面図である。
図９は、比較例１に係るプロジェクタ１０００ａを説明するために示す図である。図９（ａ）は第１の仮想平面ＶＰ１及び第２の仮想平面ＶＰ２を説明するために示す図であり、図９（ｂ）はプロジェクタ１０００ａを横から（ｘ（−）方向から）見たときの、第１の仮想平面ＶＰ１と第２の仮想平面ＶＰ２との関係を示す図である。
【００５８】
図１０は、比較例２に係るプロジェクタ１０００ｂの全体斜視図である。図１１は、比較例２に係るプロジェクタ１０００ｂの光学系の斜視図である。図１２は、比較例２に係るプロジェクタ１０００ｂの光学系の上面図である。
図１３は、比較例２に係るプロジェクタ１０００ｂを説明するために示す図である。図１３（ａ）は第１の仮想平面ＶＰ１及び第２の仮想平面ＶＰ２を説明するために示す図であり、図１３（ｂ）はプロジェクタ１０００ｂを横から（ｘ（−）方向から）見たときの、第１の仮想平面ＶＰ１と第２の仮想平面ＶＰ２との関係を示す図である。
【００５９】
なお、図６〜図１３において、図１〜図５と同一の部材については同一の符号を付し、詳細な説明は省略する。また、図７及び図１１においては、照明光学系１００ａ，１００ｂや色分離導光光学系２００ａ，２００ｂなどの光学系を見やすくするために、光学部品用筐体１０ａ，１０ｂの図示を省略している。
【００６０】
比較例１及び２に係るプロジェクタ１０００ａ，１０００ｂは、基本的には実施形態１に係るプロジェクタ１０００とよく似た構成を有するが、照明光学系及び色分離素子の配置構成が、実施形態１に係るプロジェクタ１０００とは異なる。
【００６１】
比較例１に係るプロジェクタ１０００ａは、従来のプロジェクタと同様の構成を有するものであり、図７に示すように、照明光学系１００ａと、色分離導光光学系２００ａから投写光学系６００までの光学系及び光学要素とが同一平面上に配置された、単層構造のプロジェクタである。
【００６２】
比較例１に係るプロジェクタ１０００ａにおいては、図８及び図９に示すように、第１の仮想平面ＶＰ１が水平面（ｘ−ｙ平面）に沿うように配置された色分離導光光学系２００ａに対して、照明光学系１００ａから射出される光の中心軸Ａ１００ａがｙ方向に沿うように構成されている。照明光学系１００ａは、反射ミラーを備えておらず、重畳レンズ１５０からの光がクロスダイクロイックミラー２１０ａに直接入射するように構成されている。また、クロスダイクロイックミラー２１０ａは、２つの色分離面２１２ａ，２１４ａと直交関係にある第２の仮想平面ＶＰ２が水平面（ｘ−ｙ平面）に沿うように配置されている。
【００６３】
比較例１に係るプロジェクタ１０００ａにおいては、図９（ａ）及び図９（ｂ）に示すように、第１の仮想平面ＶＰ１と第２の仮想平面ＶＰ２とが平行関係となる（同一平面上に存在する）ように構成されている。
【００６４】
このように構成された比較例１に係るプロジェクタ１０００ａにおいては、図８に示すように、光学部品用筐体１０ａにおけるｙ方向（色分離素子２１０ａからクロスダイクロイックプリズム５００に向かう方向）に沿った長さＤａが、光学部品用筐体１０ａにおけるｘ方向に沿った長さＷａに比べて極端に長いため、光学部品用筐体１０ａが全体的に横長形状となってしまい、結果としてプロジェクタのコンパクト化を図ることができない。
【００６５】
比較例２に係るプロジェクタ１０００ｂは、比較例１に係るプロジェクタ１０００ａと同様に、図１１及び図１２に示すように、照明光学系１００ｂと、色分離導光光学系２００ｂから投写光学系６００までの光学系及び光学要素とが同一平面上に配置された、単層構造のプロジェクタであるが、照明光学系の配置構成が、比較例１に係るプロジェクタ１０００ａとは異なる。
【００６６】
すなわち、比較例２に係るプロジェクタ１０００ｂにおいては、図１２及び図１３に示すように、光源装置１１０は、光源装置１１０から射出される光の中心軸Ａ１１０が、ｘ方向に沿うように配置されている。また、重畳レンズ１５０から射出された光（ｘ（＋）方向へと向かう光）は、重畳レンズ１５０の光射出側に配置された反射ミラー１６０ｂによってｙ（＋）方向に向けて反射されるように構成されている。
【００６７】
なお、照明光学系１００ｂは、比較例１の照明光学系１００ａと同様に、照明光学系１００ｂから射出される光の中心軸Ａ１００ｂがｙ方向に沿うように構成されている。また、クロスダイクロイックミラー２１０ｂは、比較例１のクロスダイクロイックミラー２１０ａと同様に、２つの色分離面２１２ｂ，２１４ｂと直交関係にある第２の仮想平面ＶＰ２が水平面（ｘ−ｙ平面）に沿うように配置されている。
【００６８】
比較例２に係るプロジェクタ１０００ｂにおいては、図１３（ａ）及び図１３（ｂ）に示すように、第１の仮想平面ＶＰ１と第２の仮想平面ＶＰ２とが平行関係となる（同一平面上に存在する）ように構成されている。
【００６９】
このように構成された比較例２に係るプロジェクタ１０００ｂにおいては、図１２に示すように、反射ミラー１６０ｂによって光路を折り曲げていることから、光学部品用筐体１０ｂのｙ方向に沿った長さＤｂは、比較例１に係るプロジェクタ１０００ａにおける光学部品用筐体１０ａのｙ方向に沿った長さＤａと比べて短くなる（Ｄｂ＜Ｄａ）。しかしながら、実施形態１に係るプロジェクタ１０００における光学部品用筐体１０のｙ方向に沿った長さＤ１と比べると、照明光学系１００ｂの幅（照明光学系１００ｂにおけるｙ方向に沿った長さ）Ｄｂ１の分、光学部品用筐体１０ｂのｙ方向に沿った長さＤｂは長くなる（Ｄｂ＞Ｄ１）ため、光学部品用筐体１０ｂをコンパクトなものとすることができず、プロジェクタのコンパクト化を図るうえで満足するものとはならない。
【００７０】
これに対し、実施形態１に係るプロジェクタ１０００によれば、照明光学系１００から射出される光の中心軸Ａ１００が第１の仮想平面ＶＰ１に対して直交するように、照明光学系１００が構成されているため、比較例１及び２のいずれの場合よりも、図３に示すように、光学部品用筐体１０におけるｙ方向に沿った長さＤ１を短くすることが可能となる。その結果、光学部品用筐体１０を従来よりもコンパクトにすることができ、従来よりもコンパクトなプロジェクタを実現することが可能となる。
【００７１】
また、実施形態１に係るプロジェクタ１０００によれば、第２の仮想平面ＶＰ２が第１の仮想平面ＶＰ１と直交するようにクロスダイクロイックミラー２１０が配置されているため、照明光学系１００からの光をクロスダイクロイックミラー２１０で正しく色分離することができ、結果として、照明光学系１００からの光を後段の反射型液晶パネル４００Ｒ，４００Ｇ，４００Ｂまで正しく導くことが可能となる。
【００７２】
実施形態１に係るプロジェクタ１０００においては、色分離導光光学系２００は、第１の仮想平面ＶＰ１が水平面（ｘ−ｙ平面）に沿うように配置されており、光源装置１１０は、光源装置１１０から射出される光の中心軸Ａ１１０が水平面（ｘ−ｙ平面）に沿うように配置されている（図４参照。）。これにより、発光管が鉛直方向（ｚ方向）に立った状態で配置された場合に起こり得る発光管の寿命の短命化を抑制することが可能となる。
【００７３】
実施形態１に係るプロジェクタ１０００においては、光源装置１１０は、光源装置１１０から射出される光の中心軸Ａ１１０がクロスダイクロイックミラー２１０によって色分離された光の中心軸Ａ２１２，Ａ２１４と平行関係となるように配置されている。これにより、プロジェクタ１０００のコンパクト化を図りつつ、熱源である光源装置１１０の配置位置を反射型液晶パネル４００Ｒ，４００Ｇ，４００Ｂからなるべく遠ざけることが可能となる。
【００７４】
［実施形態２］
実施形態２は、第１の仮想平面が鉛直面に沿うように色分離導光光学系が配置されている場合を説明するための実施形態である。
【００７５】
図１４は、実施形態２に係るプロジェクタ１００２の全体斜視図である。図１５は、実施形態２に係るプロジェクタ１００２の光学系の斜視図である。図１６は、実施形態２に係るプロジェクタ１００２の光学系の側面図（ｘ（＋）方向から見た図）である。
図１７は、実施形態２に係るプロジェクタ１００２を説明するために示す図である。図１７（ａ）は第１の仮想平面ＶＰ１及び第２の仮想平面ＶＰ２を説明するために示す図であり、図１７（ｂ）はプロジェクタ１００２を上から（ｚ（＋）方向から）見たときの、第１の仮想平面ＶＰ１と第２の仮想平面ＶＰ２との関係を示す図である。
【００７６】
なお、図１４〜図１７において、図１〜図５と同一の部材については同一の符号を付し、詳細な説明は省略する。また、図１５においては、照明光学系１０２や色分離導光光学系２００などの光学系を見やすくするために、光学部品用筐体１２の図示を省略している。
【００７７】
実施形態２に係るプロジェクタ１００２は、基本的には実施形態１に係るプロジェクタ１０００と同様の構成を有するが、照明光学系及び色分離導光光学系の配置構成が、実施形態１に係るプロジェクタ１０００とは異なる。
【００７８】
すなわち、実施形態２に係るプロジェクタ１００２においては、図１５及び図１７に示すように、色分離導光光学系２００は、第１の仮想平面ＶＰ１が鉛直面（ｙ−ｚ平面）に沿うように配置されている。
【００７９】
照明光学系１０２は、図１７に示すように、照明光学系１０２から射出される光の中心軸Ａ１０２が、第１の仮想平面ＶＰ１に対して直交するように構成されている。言い換えれば、実施形態２に係るプロジェクタ１００２においては、第１の仮想平面ＶＰ１が鉛直面（ｙ−ｚ平面）に沿うように配置された色分離導光光学系２００に対して、照明光学系１０２から射出される光の中心軸Ａ１０２がｘ方向に沿うように構成されている。照明光学系１０２は、反射ミラーを備えておらず、重畳レンズ１５０からの光がクロスダイクロイックミラー２１０に直接入射するように構成されている。
【００８０】
クロスダイクロイックミラー２１０は、２つの色分離面２１２，２１４と直交関係にある第２の仮想平面ＶＰ２が鉛直面（ｘ−ｚ平面）に沿うように配置されている。
【００８１】
なお、実施形態２に係るプロジェクタ１００２においては、第１の仮想平面ＶＰ１が鉛直面（ｙ−ｚ平面）に沿うように色分離導光光学系２００を配置したのに伴い、反射型液晶パネル４００Ｒ，４００Ｇ，４００Ｂの配置構成を変更している。
【００８２】
具体的に説明すると、実施形態１に係るプロジェクタ１０００の場合には、図２から分かるように、反射型液晶パネル４００Ｒ，４００Ｇ，４００Ｂにおける画像形成領域の長辺方向がｘ方向又はｙ方向に沿い、短辺方向がｚ方向に沿うように配置されているのに対し、実施形態２に係るプロジェクタ１００２においては、図１５から分かるように、反射型液晶パネル４００Ｒ，４００Ｇ，４００Ｂにおける画像形成領域の長辺方向がｘ方向に沿い、短辺方向がｙ方向又はｚ方向に沿うように、各画像形成領域の中心軸を回転軸として９０度回転させた状態で配置されている。これにより、プロジェクタ全体としての高さ（ｚ方向に沿ったプロジェクタの大きさ）をより低くすることができ、プロジェクタの薄型化を図ることが可能となる。
【００８３】
このように、実施形態２に係るプロジェクタ１００２は、実施形態１に係るプロジェクタ１０００とは、照明光学系及び色分離導光光学系の配置構成並びに反射型液晶パネルの配置構成が異なるが、実施形態１に係るプロジェクタ１０００の場合と同様に、照明光学系１０２から射出される光の中心軸Ａ１０２が第１の仮想平面ＶＰ１に対して直交するように、照明光学系１０２が構成されているため、図１６に示すように、光学部品用筐体１２におけるｙ方向に沿った長さＤ２を短くすることが可能となる。その結果、光学部品用筐体１２を従来よりもコンパクトにすることができ、従来よりもコンパクトなプロジェクタを実現することが可能となる。
【００８４】
また、実施形態２に係るプロジェクタ１００２によれば、第２の仮想平面ＶＰ２が第１の仮想平面ＶＰ１と直交関係となるようにクロスダイクロイックミラー２１０が配置されているため、照明光学系１０２からの光をクロスダイクロイックミラー２１０で正しく色分離することができ、結果として、照明光学系１０２からの光を後段の反射型液晶パネル４００Ｒ，４００Ｇ，４００Ｂまで正しく導くことが可能となる。
【００８５】
実施形態２に係るプロジェクタ１００２においては、色分離導光光学系２００は、第１の仮想平面ＶＰ１が鉛直面（ｙ−ｚ平面）に沿うように配置されており、光源装置１１０は、光源装置１１０から射出される光の中心軸Ａ１１０（図示せず。）が水平面（ｘ−ｙ平面）に沿うように配置されている。これにより、プロジェクタのコンパクト化を図ることができるとともに、熱の影響による発光管の寿命の短命化を抑制することが可能となる。
【００８６】
ところで、実施形態１に係るプロジェクタ１０００や比較例２に係るプロジェクタ１０００ｂのように、重畳レンズから射出される光を反射ミラーで反射してクロスダイクロイックミラー（色分離素子）に導く構成とした場合、重畳レンズからの光を反射ミラーで１００％反射できるとは限らないことから、光利用効率が低下する場合がある。
これに対し、実施形態２に係るプロジェクタ１００２によれば、照明光学系１０２は反射ミラーを備えておらず、重畳レンズ１５０からの光がクロスダイクロイックミラー２１０に直接入射するように構成されているため、上述した光利用効率の低下の問題が発生することもない。
【００８７】
実施形態２に係るプロジェクタ１００２は、照明光学系及び色分離導光光学系の配置構成並びに反射型液晶パネルの配置構成が異なる点以外では、実施形態１に係るプロジェクタ１０００と同様の構成を有するため、実施形態１に係るプロジェクタ１０００が有する効果のうち該当する効果をそのまま有する。
【００８８】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【００８９】
上記実施形態１においては、重畳レンズ１５０の光射出側に配置される反射手段が反射ミラーである場合を例示して説明したが、本発明はこれに限定されるものではなく、反射プリズムを用いてもよい。
【００９０】
上記実施形態１においては、照明光学系１００の光が、色分離導光光学系２００に対して上方向（ｚ（＋）方向）から入射するように構成された場合を例示して説明したが、本発明はこれに限定されるものではなく、色分離導光光学系２００に対して下方向（ｚ（−）方向）から入射するように構成されていてもよい。すなわち、色分離導光光学系２００から投写光学系６００までの光学系及び光学要素が上層に配置され、照明光学系１００が下層に配置されていてもよい。また、上記実施形態２においては、プロジェクタ１００２を投写光学系６００側から見たときに、照明光学系１０２の光が、色分離導光光学系２００に対して右方向（ｘ（＋）方向）から入射するように構成された場合を例示して説明したが、本発明はこれに限定されるものではなく、色分離導光光学系２００に対して左方向（ｘ（−）方向）から入射するように構成されていてもよい。
【００９１】
上記各実施形態においては、光学部品用筐体１０，１２の内部に投写光学系６００が収納されていないが、本発明はこれに限定されるものではなく、投写光学系６００が内部に収納されるように構成された光学部品用筐体を用いてもよい。
【００９２】
上記実施形態１においては、画像形成領域の長辺方向がｘ方向又はｙ方向に沿うように、各反射型液晶パネルが配置された場合を例示して説明し、上記実施形態２においては、画像形成領域の長辺方向がｘ方向に沿うように、実施形態１の配置状態から画像形成領域の中心軸を回転軸として９０度回転させた状態で、各反射型液晶パネルが配置された場合を例示して説明したが、本発明はこれに限定されるものではない。実施形態１の配置状態から画像形成領域の中心軸を回転軸として、例えば４５度回転させた状態で、各反射型液晶パネルが配置されていてもよい。この場合、スクリーンに投写される投写画像が横長画像となるように、投写光学系の各光学要素が構成されていることが好ましい。
【００９３】
上記各実施形態においては、反射型液晶パネルとして、画像形成領域のアスペクト比が１６：９のワイドビジョン用の反射型液晶パネルを用いたが、本発明はこれに限定されるものではなく、画像形成領域のアスペクト比が４：３のいわゆるスタンダードタイプの反射型液晶パネルを用いてもよい。
【００９４】
上記各実施形態においては、光源装置として、楕円面リフレクタからなる光源装置を用いたが、本発明はこれに限定されるものではなく、放物面リフレクタからなる光源装置を用いることも好ましい。この場合には、凹レンズは備えていなくともよい。
【００９５】
上記各実施形態においては、発光管に副鏡が配設された場合を例示して説明したが、本発明はこれに限定されるものではなく、副鏡に代えて、管球部の外面に反射膜が形成されていてもよいし、副鏡が配設されていないプロジェクタに本発明を適用することも可能である。
【００９６】
上記各実施形態においては、光均一化光学系として、レンズアレイからなるレンズインテグレータ光学系を用いたが、本発明はこれに限定されるものではなく、ロッド部材からなるロッドインテグレータ光学系をも好ましく用いることができる。
【００９７】
上記各実施形態においては、色分離導光光学系における偏光ビームスプリッタとして、プレートタイプの偏光ビームスプリッタを用いたが、本発明はこれに限定されるものではなく、２つの三角柱プリズムが貼り合わされたプリズムタイプの偏光ビームスプリッタを用いてもよい。
【００９８】
上記各実施形態においては、３つの反射型液晶パネルを用いたプロジェクタを例示して説明したが、本発明はこれに限定されるものではなく、１つ、２つ又は４つ以上の反射型液晶パネルを用いたプロジェクタにも適用可能である。
【００９９】
本発明は、投写画像を観察する側から投写するフロント投写型プロジェクタに適用する場合にも、投写画像を観察する側とは反対の側から投写するリア投写型プロジェクタに適用する場合にも可能である。
【０１００】
本発明は、机上等に設置するタイプのプロジェクタ（据え置きタイプのプロジェクタ）に適用する場合にも、天井等に吊り下げるタイプのプロジェクタ（天吊りタイプのプロジェクタ）に適用する場合にも可能である。
【図面の簡単な説明】
【０１０１】
【図１】実施形態１に係るプロジェクタ１０００の全体斜視図。
【図２】実施形態１に係るプロジェクタ１０００の光学系の斜視図。
【図３】下層に配置されるプロジェクタ１０００の光学系の上面図。
【図４】光学部品用筐体１０内に配置される光学系の側面図。
【図５】実施形態１に係るプロジェクタ１０００を説明するために示す図。
【図６】比較例１に係るプロジェクタ１０００ａの全体斜視図。
【図７】比較例１に係るプロジェクタ１０００ａの光学系の斜視図。
【図８】比較例１に係るプロジェクタ１０００ａの光学系の上面図。
【図９】比較例１に係るプロジェクタ１０００ａを説明するために示す図。
【図１０】比較例２に係るプロジェクタ１０００ｂの全体斜視図。
【図１１】比較例２に係るプロジェクタ１０００ｂの光学系の斜視図。
【図１２】比較例２に係るプロジェクタ１０００ｂの光学系の上面図。
【図１３】比較例２に係るプロジェクタ１０００ｂを説明するために示す図。
【図１４】実施形態２に係るプロジェクタ１００２の全体斜視図。
【図１５】実施形態２に係るプロジェクタ１００２の光学系の斜視図。
【図１６】実施形態２に係るプロジェクタ１００２の光学系の側面図。
【図１７】実施形態２に係るプロジェクタ１００２を説明するために示す図。
【符号の説明】
【０１０２】
１０，１０ａ，１０ｂ，１２…光学部品用筐体、１００，１００ａ，１００ｂ，１０２…照明光学系、１１０…光源装置、１１２…発光管、１１４…楕円面リフレクタ、１１６…副鏡、１１８…凹レンズ、１２０…第１レンズアレイ、１２２…第１小レンズ、１３０…第２レンズアレイ、１３２…第２小レンズ、１４０…偏光変換素子、１５０…重畳レンズ、１６０，１６０ｂ…反射ミラー、２００，２００ａ，２００ｂ…色分離導光光学系、２１０…クロスダイクロイックミラー、２１２，２１２ａ，２１２ｂ，２１４，２１４ａ，２１４ｂ…色分離面、２２０，２６０…反射ミラー、２３０…ダイクロイックミラー、２４０，２５０，２７０…偏光ビームスプリッタ、３００Ｒ，３００Ｇ，３００Ｂ…集光レンズ、４００Ｒ，４００Ｇ，４００Ｂ…反射型液晶パネル、４１０Ｒ，４１０Ｇ，４１０Ｂ…放熱フィン、４２０Ｒ，４２０Ｇ，４２０Ｂ…偏光板、５００…クロスダイクロイックプリズム、６００…投写光学系、１０００，１０００ａ，１０００ｂ，１００２…プロジェクタ、Ａ１００，Ａ１００ａ，Ａ１００ｂ，Ａ１０２…照明光学系から射出される光の中心軸、Ａ１１０，Ａ１１０ａ，Ａ１１０ｂ…光源装置から射出される光の中心軸、Ａ１５０…重畳レンズの光軸、Ａ２１２，Ａ２１４，Ａ２１２ａ，Ａ２１４ａ，Ａ２１２ｂ，Ａ２１４ｂ…（クロスダイクロイックミラーの）色分離面によって色分離された光の中心軸、Ａ５００Ｒ，Ａ５００Ｇ，Ａ５００Ｂ…クロスダイクロイックプリズムに入射する各色光の中心軸、Ｄ１，Ｄ２，Ｄａ，Ｄｂ…光学部品用筐体におけるｙ方向に沿った長さ、Ｄｂ１…照明光学系の幅（照明光学系におけるｙ方向に沿った長さ）、ＳＣＲ…スクリーン、ＶＰ１…第１の仮想平面、ＶＰ２…第２の仮想平面、Ｗ１，Ｗ２，Ｗａ，Ｗｂ…光学部品用筐体におけるｘ方向に沿った長さ
【図２】
2009204905.tif 000003
【図３】
2009204905.tif 000004
【図４】
2009204905.tif 000005
【図５】
2009204905.tif 000006
【図７】
2009204905.tif 000007
【図８】
2009204905.tif 000008
【図９】
2009204905.tif 000009
【図１１】
2009204905.tif 000010
【図１２】
2009204905.tif 000011
【図１３】
2009204905.tif 000012
【図１５】
2009204905.tif 000013
【図１６】
2009204905.tif 000014
【図１７】
2009204905.tif 000015
【図１】
2009204905.tif 000016
【図６】
2009204905.tif 000017
【図１０】
2009204905.tif 000018
【図１４】
2009204905.tif 000019